(57)【要約】【解決手段】パネル実装コネクタは、パネルの端子側からパネルに実装するハウジングと、パネルのケーブル側からハウジング内のチャネルによって支持され、かつその中に挿入されるように構成されている端子モジュールと、を含む。二次部品を使用して、端子モジュールをハウジングに固定し、組み立て及び分解の容易さを可能にしながら、十分な構造堅牢性を提供することができる。【選択図】図１
2019514162.tif 000002
【特許請求の範囲】
【請求項１】
パネルの開口部に実装するためのパネル実装コネクタであって、
外面及びハウジングの前側のへりを有する、ハウジングであって、前記へりは、前記外面を越えて延在し、前記ハウジングは、前記前側とは反対側の後側を有し、前記前側から後側に延在するチャネルを画定する、ハウジングと、
前記後側からチャネルに挿入される端子モジュールと、を備える、パネル実装コネクタ。
【請求項２】
前記端子モジュールをハウジングに固定する二次部品を更に備える、請求項１に記載のパネル実装コネクタ。
【請求項３】
前記二次部品は、前記ハウジング内のチャネルに位置決めされた係止部材である、請求項２に記載のパネル実装コネクタ。
【請求項４】
前記端子モジュールは、前記外面に向かってハウジングを通って部分的に延在する肩部を有する、請求項３に記載のパネル実装コネクタ。
【請求項５】
前記二次部品は、前記後側の近くに位置決めされた複数のハウジング開口部に挿入される係止ポストであり、該係止ポストは、前記チャネルから端子モジュールの取り外しを阻止するように位置決めされている、請求項２に記載のパネル実装コネクタ。
【請求項６】
前記係止ポストは、該係止ポストをハウジング内に固定するラッチを含む、請求項５に記載のパネル実装コネクタ。
【発明の詳細な説明】
【技術分野】
【０００１】
関連出願
本出願は、２０１６年３月３１日に出願された米国仮特許出願第６２／３１６，２２０号の優先権を主張するものであり、これはその全体が参照により本明細書に組み込まれる。
【０００２】
本開示は、コネクタの分野に関し、より具体的には、高いデータレートもサポートすることができるパネル実装用途での使用に好適なコネクタに関する。
【背景技術】
【０００３】
パネル実装コネクタは、既知である。図１〜４から理解され得るように、パネル実装コネクタ１０のような既存のパネル実装コネクタは、より高いデータレートをサポートするために使用される場合、いくつかの問題を有する。典型的な用途では、パネル実装コネクタアセンブリ１０は、端子モジュール４０を部分的に包み込んで支持するツーピース構造を有するハウジング２０を含む。端子モジュール４０は、複数のケーブル４４に接続された端子配列２６を含み、端子配列２６及びケーブル４４をハウジング２０内の所望の位置に支持する。パネル実装ケーブルコネクタが組み立てられると、それは、パネル５のパネル開口部８に挿入される。ケーブル４４は他端の別のコネクタに接続されているので、パネル実装コネクタ１０は、ケーブル側６からパネル開口部８に挿入され、端子配列２６が端子側７に提示される。嵌合コネクタとの嵌合を助けるために、位置合わせピン２８をピンブロック２９によって支持することができる。パネル実装コネクタ１０は、タブ２１と耳２３とがパネル５に押圧されるまで、パネル開口部８に挿入される。次いで、締結具１１が作動して、パネル実装コネクタ１０を定位置に固定することを助ける。
【０００４】
パネル実装コネクタ１０’の第２の実施形態は、屈曲タブ３１を有するハウジング２０’を含む。ハウジング２０’は、位置合わせピン２８を支持し、端子側７の端子モジュール４０’によって支持された端子配列２６を提供する。第２の実施形態は、パネル実装コネクタの開口部への過剰挿入を防止するコネクタストッパ２２を含み、屈曲タブは、パネル実装コネクタ１０’が不注意に取り外されることを防止する。
【０００５】
理解され得るように、これらの既存の設計では、ケーブルを端子モジュールで拘束し、パネル実装コネクタ全体を取り外すこと及び分解することなく、ケーブルを取り外すことは可能ではない。ケーブル４４は別の接続に引き回されるため、パネル実装コネクタもまた、パネル開口部８にケーブル側７から挿入する必要がある。パネル実装コネクタが、パネル５のケーブル側６への空間又はアクセスが制限されるより大きなシステムの一部である場合には、パネルの内部にアクセスすることが困難であり得るので、既存の解決策では、定期的チェック、保守、又は変更が困難になる。既存の設計はまた、パネル実装コネクタをパネルに固定するために使用されるラッチ及び／又は締結具が、パネルの端子側７から加えられるブラインド嵌合衝撃力及び嵌合力を支えなければならないことを意味する。これらの力は、潜在的に使用が簡単なラッチシステムを圧倒し得、組み立て時の何らかのエラーは、パネル実装コネクタがパネル開口部８から押し出される（又は開口部８内で傾く）ことをもたらし得、そのため接続が阻害される。結果として、ある個人らは、パネル実装コネクタに対する更なる改善を高く評価するであろう。
【発明の概要】
【課題を解決するための手段】
【０００６】
実施形態において、パネル実装コネクタは、パネルの端子側からパネル開口部に挿入され、パネルのケーブル側からハウジング内に挿入される端子モジュールを支持するように構成されたハウジングを含む。結果として得られるパネル実装コネクタは、システムの容易な保守点検を可能にする。ハウジングは、ハウジングがパネル開口部を介して押圧されることを確実に、かつ、しっかりと制限するへり又は他の機構を含み、一方、端子モジュールは、端子モジュールに作用する力を受け取り、それらをハウジングに伝達する二次部品を介してハウジングにしっかりと取り付けることができる。二次部品は、ハウジングにスナップ嵌め可能な係止部材であってもよく、又はハウジング内の切欠部に挿通された阻止枠であってもよい。このため、得られた設計は、保守に好適であると同時に、嵌合力及びブラインド嵌合衝撃力に対する高められた耐性を提供する。
【図面の簡単な説明】
【０００７】
本発明は、例として例示され、添付図面に限定されるものではなく、図面中、同様の符号は、類似の要素を示す。
【０００８】
【図１】先行技術のパネル実装コネクタを示す斜視図である。
【図２】図１に描写される実施形態を示す部分分解斜視図である。
【図３】パネル内に位置決めされた別の先行技術のパネル実装コネクタを示す斜視図である。
【図４】パネルに挿入する前の図３に描写された実施形態を示す別の斜視図である。
【図５】パネル内に位置決めされたパネル実装コネクタの実施形態を示す斜視図である。
【図６】図５に描写される実施形態を示す別の斜視図である。
【図７】図５に描写される実施形態を示す簡略斜視図である。
【図８】パネル実装コネクタにおける使用に好適なハウジングを示す斜視図である。
【図９】二次部品の取り付け前のパネル実装コネクタの実施形態を示す斜視図である。
【図１０】図９に描写されているが、二次部品が取り付けられている実施形態を示す斜視図である。
【図１１】パネル実装コネクタの別の実施形態を示す斜視図である。
【図１２】パネル実装コネクタの別の実施形態を示す斜視図である。
【図１３】図１２に描写されるパネル実装コネを示すタの部分分解斜視図である。
【図１４】パネル実装コネクタの別の実を示す形態の斜視図である。
【図１５】図１４に描写される実施形態の別の斜視図である。
【図１６】パネル内に位置決めされ、嵌合コネクタと嵌合したパネル実装コネクタの別の実施形態を示す斜視図である。
【図１７】非嵌合状態の嵌合コネクタを有する図１６に描写される実施形態を示す斜視図である。
【図１８】図１７に描写されるパネル実装コネクタを示す斜視図である。
【図１９】図１８に描写される実施形態を示す別の斜視図である。
【図２０】図１９に描写される実施形態を示す部分分解斜視図である。
【図２１】図２０に描写される実施形態を示す更なる分解斜視図である。
【図２２】図２１に描写される実施形態を示す別の斜視図及び更なる分解図である。
【図２３】二次部品の実施形態の特徴を示す拡大斜視図である。
【発明を実施するための形態】
【０００９】
以下の「発明を実施するための形態」は、例示的な実施形態を説明するものであり、明示的に開示された組み合わせ（複数可）に限定することを意図しない。したがって、別途記載のない限り、本明細書で開示される特徴は、一緒に組み合わせて、簡潔さのために別途示されることがなかった、追加の組み合わせを形成することができる。
【００１０】
図５〜１０を参照すると、パネル実装コネクタの第１のタイプの実施形態の特徴が開示されている。パネル実装コネクタ１００は、１つ以上のチャネル１２７を画定し、パネル５に実装されるように構成されたハウジング１２０を含む。いくつかのパネル実装コネクタのように、ハウジング１２０は、ハウジングがパネル開口部８内でいくらか移動することができるように、いくらかの量のクリアランスを伴って、パネル開口部８内にぴったり合うサイズの外面１２１ａを含む。チャネル１２７は、内部に端子モジュール１４０を受容するように構成され、適切に寸法決めされる。動作において、ハウジング１２０は、パネル５のパネル開口部８に端子側６から挿入され、挿入中に偏向するように設計されたタブ１３１によって保持される。ハウジング１２０の前側１２０ａ上に設けられたへり１２２は、外面１２１ａを越えて延在する。へり１２２は、パネル５に対して押し当てるように構成され、ハウジング１２０がパネル５内に更に挿入されることを防止する。へり１２２は、パネル実装コネクタ１００に作用することが予想される所望の力に対して構造支持を提供するような寸法及び形状にすることができる。描写されたハウジング設計は、長方形の形状であるが、他の形状も提供され得ることに留意されたい。
【００１１】
端子モジュール１４０は、ハウジング１２０の後側１２０ｂ上のチャネル１２７に挿入されるように構成され、係止部材１５０のような、ハウジング１２０にしっかりと係合する１つ以上の二次部品によって保持され、端子モジュール１４０がハウジング１２０から押し出されることを防止する。動作中、二次部品は、端子モジュール１４０に作用する力をハウジング１２０に伝達し、へり１２２は、これらの力をパネルに伝達し、こうして堅牢な構成を提供する。当然のこととして、必要な場合、複数の二次部品を使用することができる。
【００１２】
端子モジュール１４０又はハウジング１２０は、対向するコネクタとの嵌合を助けるために位置合わせピン１２８を支持することもできる。位置合わせピン１２８は円筒形状を有しているが、位置合わせピン１２８の形状は、嵌合コネクタ及び考慮すべき公差のタイプに基づいて可変であり得ることに留意されたい。
【００１３】
上述ように、係止部材１５０は、端子モジュール１４０に作用する力をハウジング１２０に伝達するように構成される。この機能性を提供するために、図９〜１０から理解され得る、一実施形態では、係止部材１５０は、相互係止様態でレール１３９と係合させる溝１５２を含むことができる。係止部材１５０が定位置にスライドすると、溝１５２及びレール１３９は、端子モジュール１４０からハウジング１２０へ力を効果的に伝達する。付加的な安全性を提供するために、保持アーム１５５が保持タブ１２４と係合し、このため係止部材１５０が不注意にハウジング１２０から取り外されることを防止する。描写された端子モジュール１４０は、少なくとも部分的にハウジングを通って外面１２１ａに向かって延在し、係止部材１５０と更に係合する肩部１４３を含むが、そのような構成は必須ではなく、代わりに係止部材１５０を開口部１２０ａにぴったり合うように設計することができる。
【００１４】
パネル実装コネクタの改変された実施形態を描写する図１１から理解され得るように、ハウジング１２０’は、複数の端子モジュール１４０’を支持するように構成することができ、各端子モジュール１４０’を固定する単一の係止部材１５０’を含むことができる。上述の実施形態のように、端子モジュール１４０’は、そこから延在するケーブル４４を有することができる。
【００１５】
パネル実装コネクタ１１０’’の代替の実施形態が、図１２及び１３に描写されている。ハウジング１２０と同様の設計を含み、したがってパネル開口部５内にハウジング１２０’’を保持することを助けるためにタブ１３１’’を使用するハウジング１２０’’は、端子モジュール１４０’’を支持するが、ハウジング１２０’’内に端子モジュール１４０’’を保持するために二次部品の代わりに保持脚１３２’’を使用する。十分な構造的支持を提供するために、３つの脚１３２’’が使用される。このような設計は、端子モジュール１４０’’をハウジング１２０’’内の定位置に挿入することを簡単にするが、潜在的に分解をより困難にする。
【００１６】
図１４〜１５に描写されるパネル実装コネクタ２００の別の実施形態では、ハウジング２２０は、１つ以上の端子モジュール２４０を受け入れるチャネル２２７を提供し、端子モジュール２４０は、ケーブル側からハウジング２２０内に挿入され、一方、ハウジングは、端子側からパネル上に実装される。端子モジュール２４０は、係止部材２５０によって係合される肩部２４３を含む。係止部材２５０は、チャネル２２５内に位置決めされて、端子モジュール２４０からハウジング２２０への力を効果的に伝達するために、相互係止様態でハウジング２２０と係合するように構成することができる。係止部材２５０をハウジング２２０上に実装する前に、端子モジュール２４０をハウジング内に保持することを助けるために、指部２２４を設けて、端子モジュール２４０と係合することができる。
【００１７】
図１６〜２３は、パネル５のパネル開口部８内に位置決めされるように構成され、嵌合コネクタ３０１と嵌合するように構成されたパネル実装コネクタ３００の別の実施形態を図解する。パネル実装コネクタ３００は、上述したパネル実装コネクタと構造において類似しており、このため、同じタイプの特徴は同じタイプの利益を提供することができることを当業者は理解するであろうことから、同様の特徴のほとんどは、簡潔にするために再び論ずることはしない。理解され得るように、パネル実装コネクタ３００は、上述したように、端子側６からパネル５に実装する前側３２０ａにへり３２２を有するハウジング３２０を含み、へり３２２は、嵌合力に抵抗する構造的支持を提供するように構成される。タブ３３１は、前述した実施形態と同様の様態で、ハウジング２２０をパネル５に固定することを助ける。複数の端子モジュール３４０は、パネル５のケーブル側７からハウジング３２０の後側３２０ｂ上の複数のチャネル３２７に挿入され、ケーブル４４に接続されており、上述したように、端子モジュールは端子側６に端子配列３２６を提供する。
【００１８】
この実施形態に伴う１つの違いは、端子モジュール３４０を定位置に固定するために使用される二次部品が係止ポスト３８０であることである。係止ポスト３８０は、２つ以上のハウジング開口部３２９に挿入され、端子モジュール３４０の後ろに位置決めされる。このような構造は、端子モジュール３４０をしっかりと定位置に保持することが見出されており、かつ端子モジュール３４０からハウジング３２０に力を伝達するのにも有効である。描写された実施形態では、ハウジング３２０の２つの側面３２３ａ、３２３ｂ上に２つの係止ポストが設けられ、より均一に力を分配し、設計の堅牢性を高めるが、多くの用途には単一の係止ポスト３８０で十分であり得る。
【００１９】
係止ポスト３８０は、係止ポスト３８０をハウジング３２０の定位置に固定するラッチ３８２を含むことができる。一実施形態では、係止ポストは、ラッチの偏向及び対応するハウジング３２０からの係止ポスト３８０の容易な取り外しを可能にするためのリリースタブ３８１を含むことができる。
【００２０】
したがって、上記の設計から理解され得るように、パネル実装コネクタのハウジングは、パネルの端子側から実装することができる一方で、端子モジュールは、パネルへのパネル実装コネクタの容易な組み立てを可能にするために、パネルのケーブル側からハウジング内に挿入される。二次部品は、端子モジュールに作用する力をハウジングに伝達するように作用し、このため堅牢な設計を保証する。設計の堅牢性を向上させることに加えて、このような構成は、ハウジングをパネルから取り外し／分解することを必要とせずに、システムの定期的な保守又は点検のための端子モジュールの容易な取り外しを提供するという付加的利益を有する。
【００２１】
本明細書で提供される開示は、その好ましい例示的な実施形態の観点で特徴を説明している。添付の請求項の範囲及び趣旨の範囲内で、数多くの他の実施形態、修正、及び変形が、本開示の検討から当業者に想起されるであろう。
【図１】
2019514162.tif 000003
【図２】
2019514162.tif 000004
【図３】
2019514162.tif 000005
【図４】
2019514162.tif 000006
【図５】
2019514162.tif 000007
【図６】
2019514162.tif 000008
【図７】
2019514162.tif 000009
【図８】
2019514162.tif 000010
【図９】
2019514162.tif 000011
【図１０】
2019514162.tif 000012
【図１１】
2019514162.tif 000013
【図１２】
2019514162.tif 000014
【図１３】
2019514162.tif 000015
【図１４】
2019514162.tif 000016
【図１５】
2019514162.tif 000017
【図１６】
2019514162.tif 000018
【図１７】
2019514162.tif 000019
【図１８】
2019514162.tif 000020
【図１９】
2019514162.tif 000021
【図２０】
2019514162.tif 000022
【図２１】
2019514162.tif 000023
【図２２】
2019514162.tif 000024
【図２３】
2019514162.tif 000025
【国際調査報告】
2019514162.tif 000026
2019514162.tif 000027